(57)【要約】【課題】従来の安全マークには、蓄光剤・反射材・着色されたカレット材を二重に敷き詰めたもの、或いはそれらを混合して成したものがある。しかしながら、着色カレットは蓄光剤の反射効果を阻害し、夜間の発光輝度低下、残光時間の短縮をもたらし、機能を十分に発揮させることが出来なかった。このため霧にけぶる曇天時や砂誇りの多い強風時、誇りや煙の多い工場内での用途には機能低下に迫るという難点が有った。【解決手段】これらの難点を解決するために、蓄光剤・反射材・着色されたカレット材を、基盤上へそれぞれ個別に設けた凹溝へ混入して透明度の高い樹脂、バインダー等で接着固定し表示板を形成した。これにより、蓄光剤は夜間、高輝度・長時間発光し、反射材は自然光、照明光を効率的に反射し、着色ガラスカレットは昼間人間に刺激的な色で安全マークとしての存在を認識させる、３つの機能を発揮する安全マークとなる。【選択図】図１
2015014768.tif 000002
【特許請求の範囲】
【請求項１】
基盤上に設けた凹溝３本にそれぞれミラー細片、アルカリ土類金属のアルミン酸塩を基剤とした蓄光剤、カラーガラスカレットを塗布してなした表示板
【請求項２】
請求項１の基盤が透明樹脂よりなる表示板
【請求項３】
請求項１、請求項２の基盤に凹溝１本を追加加工しカラーカレットを２種類塗布した表示板。
【発明の詳細な説明】
【技術分野】
【０００１】本発明は基盤上にミラー細片、蓄光剤、カラーガラスカレットの素材を個別に塗布した表示板であり【０００２】ミラー細片は優れた光反射機能を示し、アルカリ土類金属のアルミン酸塩からなる蓄光剤は優れた耐候性、蓄光性能を示すと共に高輝度・長残光な光発光機能を示し、カラーガラスカレットは自然光、イルミネーション光により人間の目に刺激的且つ霧や煙に発光が疎外されにくい赤色・オレンジ等を発色する素材であり、これらの性能を低下させることなく高機能を維持して組み合わせ、昼間、夜間、ライトアップ時のいずれにおいても無電力で際だった表示機能を現す表示板に関するものである。
【背景技術】
【０００３】従来、蓄光剤・反射材・着色されたカレット材を組み合わせた夜間の安全マークや交通標識が知られている（特開２００３−１３１５９９）。【０００４】一方、ガラスカレット或いはガラスビーズと蓄光剤を混合してなる路面マーカー
（特開２０００−２８２４２６）がある。
【先行技術文献】
【特許文献】
【０００５】
【特許文献１】特開２００３−１３１５９９
【特許文献２】特開２０００−２８２４２６
【発明の概要】
【発明が解決しようとする課題】
【０００６】しかしながら特許文献１によれば蓄光剤粒とガラスカレット層は二重に敷き詰めたものであり着色ガラスの光吸収により蓄光剤粒の発光が妨げられる。またガラスの光吸収により蓄光剤粒の発光が十分に外部に放出されない欠点が有った。
また二重構造のため、裏表両面使用に難点があった。【０００７】また、反射材片を蓄光剤粒に混入している効果は蓄光効果を高めるためのものである。【０００８】特許文献２によればガラスビーズ或いはガラスカレットと蓄光剤を混合しその露出部にマイカの細片を混在させた路面マーカーであり、ガラスビーズは蓄光・発光に悪影響を与えるばかりでなく、マイカの細片が露出部表面に混在しているため光の透過に悪影響を与える。またガラスビーズには着色を行いがたいという難点があった。【０００９】このため霧や小雨にけぶる曇天時や砂誇りの多い強風時、砂漠地帯、誇り煙の多い工場内での用途には機能低下或いは機能不全に迫るという難点が有った。
【課題を解決するための手段】
【００１０】上記の課題を解決するために本願発明では、反射材としての０．６〜１．２ミリのミラー細片、１６０ミクロン、２５０ミクロンの蓄光剤、０．６〜１．２ミリのカラーガラスカレットを基盤上へそれぞれ個別に設けた凹溝へ混入して油性クリアーラッカー、透明ウレタン樹脂、ラテックスエマルジョン透明クリアー、ビニル樹脂透明等いずれか一つの透明バインダーで接着固定し表示板を形成した。【００１１】ここで凹溝を有する表示板本体をなす基盤は光反射率が高く透過率の低い白を塗布した金属、非金属、木材、陶土、樹脂を使用するが、両面使用を考慮して透明アクリル、透明ポリカーボネート等の透明度の高い樹脂板を使用することも出来る。【００１２】またミラー細片の代わりに鏡面仕上げを行ったアルミニュウム板から作られたアルミニュウム細粒を使用することも出来る。
【発明の効果】
【００１３】ミラー細片、蓄光剤、カラーガラスカレットがそれぞれに最良の機能を発揮するため、ミラー細片はライト照射、ライトアップ、太陽光、自然光、イルミネーション等の強い光に対して乱反射を行いその存在を強く表示し、アルカリ土類金属のアルミン酸塩を主体とした大粒径な蓄光剤は、高輝度・長残光な性能により暗闇で１０時間以上の発光を継続し、カラーガラスカレットは人間により刺激の強い赤、オレンジ等の発色を行い、霧や煙に発光が疎外されにくく表示板の存在を強く表示して、昼間、夜間、ライト照射時のいずれにおいてもはっきりと表示板の存在を示すことができる。ここでカラーカレットを２種類別別の凹溝に入れることにより、昼間よりはっきりしたコントラストの効果により視認効果、表示効果が高まる。【００１４】また透明樹脂で構成した表示板は裏表より視認出来るため、空中に設置して道路の中央表示や境界表示、ロータリーや交差点、三叉路、五叉路等の四方周囲への表示案内に適したものとなる。【００１５】ここで四方周囲から視認できる表示板の場合、蓄光剤は片面発光に比べて輝度が落ちるため成るべく大きな粒子のもの、例えばＮ夜光グリーン発光Ｇ−３００Ｌ２５０Ｎ、Ｇ−３００Ｌ１６０等のピーク粒度がそれぞれ２５０ミクロン、１６０ミクロンを使用して蓄光層厚さを１ミリ以上とすることが望ましい。カタログ・実測いずれでも、これらの蓄光剤は初期輝度が２０００ミリカンデラ以上、１０時間以上の残光時間を有している。
【図面の簡単な説明】
【００１６】
【図１】ミラー細片、蓄光剤、カラーガラスカレットをそれぞれの凹溝に混連してなしたエッジマークの正面図である
【００１７】
【図２】ミラー細片、蓄光剤、カラーガラスカレット、色違いカラーガラスカレットをそれぞれの凹溝に混連してなしたエッジマークの正面図である
【００１８】
【図３】ミラー細片、蓄光剤、カラーガラスカレットをそれぞれの凹溝に混連してなしたエッジマークの断面図である
【００１９】
【図４】ミラー細片、蓄光剤、カラーガラスカレット、色違いカラーガラスカレットをそれぞれの凹溝に混連してなしたエッジマークの断面図ある
【発明を実施するための形態】
【００２０】図１はアクリルプレート白に３本の凹溝を深さ１．５ミリ〜２．０ミリに加工して、それぞれの溝にミラー細片、蓄光剤、カラーガラスカレットをクリアーラッカーで混連し注ぎ込んだものである。アクリルプレート白は光透過性が高いため、蓄光剤を入れる凹溝のみラッカー塗料白を塗布して光の反射率を高めるのが好ましい。
【００２１】蓄光剤としては根本特殊科学のＮ夜光Ｇ−３００Ｌ２５０Ｎ、Ｇ−３００Ｌ１６０等グリーン発光、大粒径のものを使用すると初期輝度２５００ミリカンデラ以上、１０時間経過後では６．０ミリカンデラ以上を示すので蓄光剤とアクリルラッカー混合比を１対１〜１．５の割合で混連、撹拌し凹溝上面いっぱいになるまで注ぎ込む。乾燥後は１〜１．５ミリ程度の蓄光層となる。耐水処理品を使用すると、屋外での用途にも適用できるので、防湿、防滴の為のカバーやケース作製の労力を削減できる。
【００２２】蓄光剤としては特に耐水性、耐湿性が求められる場合、イージーブライト社のブルーグリーン発光で大粒径のものを使用すると良い。初期輝度は１０００ミリカンデラと低いが、１０時間経過後では５．４ミリカンデラと長残光な性能を有し、同じく蓄光剤とアクリルラッカー混合比を１対１〜１．５の割合で混連、撹拌し凹溝上面いっぱいになるまで注ぎ込む。乾燥後は１〜１．５ミリ程度の蓄光層となる。
【００２３】ミラー細片は大きなものの方が光反射は大きく視認には適するが、塗料のように使用する場合大きいと面の向きが上向き又は下向きに偏り、乱反射の効果を得にくい為、０．８〜１．２ミリ程度の大きさを使用すると面の向きがランダムになり入射光、反射光方向がランダムな対応をするようになり再帰性反射材を使用した反射表示板より好ましい。
【００２４】ミラー細片はミルで十分な時間撹拌され破砕面のシャープエッジをだれさせて取扱時の皮膚損傷から身体を守ることが肝要である。
【００２５】カラーガラスカレットは０．８〜１．２ミリの大きさを使用し、レッドやオレンジを使用すると人間の目に刺激的で視認には適したものとなる。ブルー、水色、グリーン等の寒色系ガラスカレットも色鮮やかな上、太陽光やスポットライト光を受けて鮮やかに光るので、代換え使用することができる。粒径は凹溝深さに制約されるため溝深さ１．６ミリに対して粒径０．８〜１．２ミリを使用した。
【００２６】図２は凹溝４本としその内２本をカラーガラスカレット用にしたものである。カラフルなエッジマーク、誘導表示板になり、また、多少の積雪でも赤、オレンジ、ブルー等のカラーは雪層を透過その存在を示すことができる。
【実施例】
【００２７】階段用エッジマーク、遊歩道境界表示、倉庫内ライン表示、プラント配管色分け用途別表示、避難誘導マーク、ストックヤード内位置決め表示マーク、積雪地駐車場内境界表示、
【産業上の利用可能性】
【００２８】階段用エッジマーク、遊歩道境界表示、倉庫内ライン表示、プラント配管色分け用途別表示、避難誘導マーク、ストックヤード内位置決め表示マーク、積雪地駐車場内境界表示、装置類２４時間メンテナンス時の表示補助、積雪地道路境界表示板
【符号の説明】
【００２９】１表示板基盤
２凹溝
３凹溝
４凹溝
５凹溝
【図１】
2015014768.tif 000003
【図２】
2015014768.tif 000004
【図３】
2015014768.tif 000005
【図４】
2015014768.tif 000006